(57)【要約】【課題】音波又は超音波の振動エネルギーの損失を低減する。【解決手段】ホーン７１とブースター７２とを同心状に連結した締め付けトルク１３、ホーン７１とブースター７３とを同心状に連結した締め付けトルク１４、振動子８０とブースター７２とを同心状に連結した締め付けトルク１５が、ブースター７１及び７２の支持部７２１及び７３１が相対峙するアーム２及び３の受け止め部２３とアーム２及び３にねじで取り付けられた止め具４及び５とで軸方向の両側から挟むように締め付ける締め付けトルク１１及び１２よりの小さな値に設定されことにより、止め具にゆるみが発生することなく、振動子が故障することなく、複数の金属が接合される場合に、音波又は超音波による振動エネルギーが共振器から複数の金属に適切に伝達され、複数の金属に接合不良やバラツキが発生することなく、複数の金属を適正に接合することができる。【選択図】図１
2020065947.tif 000002
【特許請求の範囲】
【請求項１】
横方向に対峙するアームで共振器を両持ち支持に取り付ける共振器支持装置であって、前記共振器のホーンと前記共振器のブースターとをスタッドボルトで同心状に連結した締め付けトルク及び前記ブースターと振動子とをスタッドボルトで同心状に連結した締め付けトルクが、前記横方向に対峙するアームの内部の受け止め部と前記アームにねじで取り付けられた止め具とで前記各ブースターの支持部を軸方向の両側から挟むように締め付ける締め付けトルクよりも小さな値に設定されたことを特徴とする共振器支持装置。
【請求項２】
前記ホーンの横方向の両端部と前記ブースターの前記ホーンの側に位置する端部とには、前記スタットボルトで前記ホーンと前記ブースターと連結する際に互いに嵌め込まれる位置決め部が設けられたことを特徴とする請求項１記載の共振器支持装置。
【発明の詳細な説明】
【技術分野】
【０００１】
本発明は、ブースターの支持部をアームの受け止め部とアームにねじで取り付けられる止め具とで横方向より挟むように締め付ける構造の共振器支持装置に関する。
【背景技術】
【０００２】
特許文献１で開示された共振器支持装置は、振動子を備えた共振器が共振器支持装置の横方向に対峙する２つのアームで両持ち支持された状態において、ブースターの支持部に対する止め具と受け止め部とによる締め付けトルク、ホーンとブースターとの締め付けトルク、ブースターと振動子との締め付けトルクによっては、上記ブースターの支持部に対する止め具にゆるみが発生し、振動子が故障し、複数の金属が接合される場合に、音波又は超音波による振動エネルギーが共振器から複数の金属に適切に伝達されずに、複数の金属に接合不良やバラツキが発生することがある。
【先行技術文献】
【特許文献】
【０００３】
【特許文献１】特許３３３８００８号公報
【発明の概要】
【発明が解決しようとする課題】
【０００４】
本発明は、上記背景技術に鑑みてなされたものであり、音波又は超音波による振動エネルギーの損失が少なく、品質信頼性を向上することができる共振器支持装置の提供を目的とする。
【課題を解決するための手段】
【０００５】
本発明は、横方向に対峙するアームで共振器を両持ち支持に取り付ける共振器支持装置であって、前記共振器のホーンと前記共振器のブースターとをスタッドボルトで同心状に連結した締め付けトルク及び前記ブースターと振動子とをスタッドボルトで同心状に連結した締め付けトルクが、前記横方向に対峙するアームの内部の受け止め部と前記アームにねじで取り付けられた止め具とで前記各ブースターの支持部を軸方向の両側から挟むように締め付ける締め付けトルクよりも小さな値に設定されたことを特徴とする。
【発明の効果】
【０００６】
本発明は、ホーンとブースターとをスタッドボルトで同心状に連結した締め付けトルク及びブースターと振動子とをスタッドボルトで同心状に連結した締め付けトルクが、横方向に対峙するアームの内部の受け止め部とアームにねじで取り付けられた止め具とでブースターの支持部を軸方向の両側から挟むように締め付ける締め付けトルクよりも小さな値に設定されことにより、止め具にゆるみが発生することなく、振動子が故障することなく、複数の金属が接合される場合に、音波又は超音波による振動エネルギーが共振器から複数の金属に適切に伝達され、複数の金属に接合不良やバラツキが発生することなく、複数の金属を適正に接合することができる効果がある。本発明において、前記ホーンの横方向の両端部と前記ブースターの前記ホーンの側に位置する端部とには、前記スタットボルトで前記ホーンと前記ブースターと連結する際に互いに嵌め込まれる位置決め部が設けられれば、スタッドボルトによるがたつきを吸収し、ホーンとブースターとが中心線を中心とする同心状に連結される。
【図面の簡単な説明】
【０００７】
【図１】発明を実施するための形態に係る共振器支持装置の振動子及び共振器の締め付けトルクを示した模式図。
【図２】発明を実施するための形態に係る共振器支持装置の対峙するアームを縦方向に切断して示した断面図。
【図３】発明を実施するための形態に係る共振器及び振動子を分解して示した正面図。
【図４】発明を実施するための形態に係る共振器及び振動子を組み立てて示した正面図。
【図５】発明を実施するための形態に係る共振器支持装置のアームに共振器の第１ブースターの支持部を受け止め部と止め具とで締め付けた状態を示す断面図。
【図６】発明を実施するための形態に係る共振器支持装置のアームに共振器の第２ブースターの支持部を受け止め部と止め具とで締め付けた状態を示す断面図。
【発明を実施するための形態】
【０００８】
図１に示したように、振動子８０を備えた共振器７０が共振器支持装置１（図１参照）のアーム２及び３で両持ち支持された状態において、第１ブースター７２の支持部７２１をアーム２の受け止め部２３とアーム２にねじで取り付けられた止め具４とで軸方向の両側から挟むように締め付ける締め付けトルク１１は、第２ブースター７３の支持部７３１をアーム３の受け止め部３３とアーム３にねじで取り付けられた止め具５とで軸方向の両側から挟むように締め付ける締め付けトルク１２と同じ値に設定されている。又、ホーン７１と第１ブースター７２とをスタッドボルト７４で同心状に連結した締め付けトルク１３とホーン７１と第２ブースター７３とをスタッドボルト７５で同心状に連結した締め付けトルク１４とは同じ値に設定されているものの締め付けトルク１１及び１２より小さな値になっている。又、第１ブースター７２と振動子８０とをスタッドボルト８４で同心状に連結した締め付けトルク１５が締め付けトルク１３及び１４より小さな値に設定されている。
【０００９】
要するに、図１に示した発明を実施するための形態にあっては、締め付けトルク１３乃至１５が締め付けトルク１１及び１２よりも小さい値になっているので、止め具４及び５にゆるみが発生することなく、振動子８０が故障することなく、複数の金属が接合作用部７１１で接合される場合に接合作用部７１１から複数の金属に、音波又は超音波振動のエネルギーが適切に伝達され、複数の金属に接合不良やバラツキが発生することなく、複数の金属を適正に接合することができる。
【００１０】
尚、締め付けトルク１２乃至１５は、ホーン７１が鉄製で第１ブースター７２及び第２ブースター７３がチタン製、ホーン７１と第１ブースター７２と第２ブースター７３とがアルミニウム製というようにホーン７１と第１ブースター７２と第２ブースター７３との材質、振動子８０から出力される２０ｋＨｚ、３０ｋＨｚ、４０ｋＨｚというように周波数により変わる。
【００１１】
図２に示した共振器用支持装置１は、アーム２及び３、止め具４及び５を備える。アーム２及び３は、横方向に対峙し、アーム２及び３の間に作業空間部６を形成している。アーム２及び３の一方又は両方がアーム２及び３の対峙する横方向の間隔を変更し得るように横移動可能になっている。アーム２及び３の内部には、回転筒２０及び３０が、アーム２及び３の相対峙する横方向に延びる１本の中心線７を回転中心として中心線７の周囲に回転可能にかつ横方向に移動しないように、個別に設けられる。
【００１２】
回転筒２０の中心部には、収容部２１が、回転筒２０の作業空間部６の側に位置する右端面から回転筒２０の内部に窪む空間として設けられる。収容部２１の内面には、雌ねじ部２２が作業空間部６の側に位置して形成される。収容部２１の雌ねじ部２２よりも左側の内面には、受け止め部２３が中心線７の側に突出する。受け止め部２３は、収容部２１の受け止め部２３よりも右側の空間と収容部２１の受け止め部２３より左側の空間とを繋ぐ空間を中心線７の周囲に形成する。
【００１３】
アーム２の回転筒２０を囲む周壁部及び回転筒２０の収容部２１を囲む周壁部には、工具挿入孔部２４及び２５が単数又は複数設けられる。工具挿入孔部２４及び２５が同心状に繋がった状態において、アーム２の外側から図示のされていない回転阻止工具が工具挿入孔部２４及び２５の双方にわたり挿入されることで、アーム２に対する回転筒２０の回転が阻止される。
【００１４】
回転筒３０の中心部には、収容部３１が、回転筒３０の作業空間部６の側に位置する左端面から回転筒３０の内部に窪む空間として設けられる。収容部３１の内面には、雌ねじ部３２が作業空間部６の側に位置して形成される。収容部３１の雌ねじ部３２よりも右側の内面には、受け止め部３３が中心線７の側に突出する。受け止め部３３は、収容部３１の受け止め部３３よりも左側の空間と収容部２１の受け止め部２３よりも右側の空間とを繋ぐ空間を中心線７の周囲に形成する。
【００１５】
アーム３の回転筒３０を囲む周壁部及び回転筒３０の収容部３１を囲む周壁部には、工具挿入孔部３４及び３５が単数又は複数設けられる。工具挿入孔部３４及び３５が同心状に繋がった状態において、アーム３の外側から図示のされていない回転阻止工具が工具挿入孔部３４及び３５の双方にわたり挿入されることで、アーム３の内部における回転筒３０の回転が阻止される。
【００１６】
止め具４は、回転筒２０に用いられ、横方向に貫通する中抜き孔部４０を囲む環状壁部４１の外縁部から回転筒２０の側に突出する周壁部４２を備える。周壁部４２は、中心線７を中心とした円形になっている。周壁部４２の外面には、雄ねじ部２２を備える。環状壁部４１には、工具嵌合部４４を単数又は複数備える。
【００１７】
止め具５は、回転筒３０に用いられ、横方向に貫通する中抜き孔部５０を囲む環状壁部５１の外縁部から回転筒３０の側に突出する周壁部５２を備える。周壁部５２は、中心線７を中心とした円形になっている。周壁部５２の外面には、雄ねじ部５３を備える。環状壁部５１には、工具嵌合部５４を単数又は複数備える。
【００１８】
図３において、止め具４の中抜き孔部４０は、中心線７を中心とした円形であり、ホーン７１の振動作用部７１１の直径及び第１ブースター７２の支持部７２１の直径よりも小形であり、ホーン７１の振動作用部７１１よりも左側の部分及び第１ブースター７２の支持部７２１よりも右側の部分よりも大形である。止め具５の中抜き孔部５０は、中心線７を中心とした円形であり、ホーン７１の振動作用部７１１の直径及び第２ブースター７３の支持部７３１の直径よりも小形であり、ホーン７１の振動作用部７１１よりも右側の部分及び第２ブースター７３の支持部７３１よりも左側の部分よりも大形である。周壁部５２は、中心線７を中心とした円形であり、回転筒３０の収容部３１の内周面に接触して円滑に回転可能に収容される大きさである。
図３に示した共振器７０は、振動子８０から伝達された音波振動又は超音波振動に共振して複数の金属部材を接合する構造であり、ホーン７１と第１ブースター７２と第２ブースター７３とを備え、ホーン７１の左側に第１ブースター７２がスタッドボルト７４で同心状に連結され、ホーン７１の右側に第２ブースター７３がスタッドボルト７５で同心状に連結される構造である。つまり、ホーン７１と第１ブースター７２と第２ブースター７３とがスタッドボルト７４及び７５で横方向に一本の棒のように連結されたことで、共振器７０が構成される。
【００１９】
スタッドボルト７４がホーン７１に装着された態様を例示したが、スタッドボルト７４は第１ブースター７２に装着された態様でも適用可能である。スタッドボルト７５が第２ブースター７３に装着された態様を例示したが、スタッドボルト７５はホーン７１に装着された態様でも適用可能である。
【００２０】
ホーン７１の横方向の長さは、振動子８０から伝達された１波長の長さになっている。ホーン７１における横方向の両端部及び横方向の中央部には振動子８０から伝達される音波振動又は超音波振動の最大振動振幅点が配置される。ホーン７１の横方向の中央部には、振動作用部７１１が、ホーン７１の外周面から外周面より外側に同心円状に突出した円盤状に設けられる。振動作用部７１１の外縁部は、振動子８０から伝達される音波振動又は超音波振動に共振して横方向に振動する。ホーン７１には、工具嵌合部７１２がホーン７１の外面から内部への窪みとして設けられる。ホーン７１の横方向の両端部には、ねじ孔部７１３及び７１４が、横方向に延びる中心線７の上に位置する孔部の内面に雌ねじを備えた態様に設けられる。ホーン７１における横方向の両端部には、位置決め部７１５及び７１６が中心線７を中心とした円形に設けられる。
【００２１】
第１ブースター７２及び第２ブースター７３は、同一の材質及び形状を有するブースターを２個使用し、振動子８０に連結される側を第１ブースター７２と表現し、ホーン７１にだけ連結される側を第２ブースター７３と表現し、区別したものである。第１ブースター７２及び第２ブースター７３は、振動子８０から伝達される音波振動又は超音波振動の１／２波長の横方向の長さを有する。第１ブースター７２及び第２ブースター７３の横方向の両端部には、振動子８０から伝達される音波振動又は超音波振動の最大振動振幅点が配置される。
【００２２】
第１ブースター７２には、環状の支持部７２１が同心円状に設けられる。支持部７２１は、肉厚の根元部７２１１と肉薄な中間部７２１２と肉厚な先端部７２１３とを備える。根元部７２１１は、第１ブースター７２の横方向の中央部における最小振動振幅点の外周面から半径方向の外側に同心円状に突出した環状の壁になっている。中間部７２１２は、根元部７２１１の外端部から第１ブースター７２の外周面と平行に離れた同心円状の筒状になっている。先端部７２１３は、中間部７２１２の端部から半径方向の外側に同心円状に突出しかつ中間部７２１２の外周面と平行に離れた同心円状の筒状になっている。
【００２３】
第１ブースター７２には、工具嵌合部７２２が第１ブースター７２の外面から内部への窪みとして単数又は複数設けられる。第１ブースター７２の横方向の両端部には、ねじ孔部７２３及び７２４が横方向に延びる中心線７の上に位置する孔部の内面に雌ねじを備えた態様に設けられる。第１ブースター７２の左側のねじ孔部７２３にはスタッドボルト８４が装着された態様になっているが、スタッドボルト８４は振動子８０のねじ孔部８３に装着された態様でもよい。第１ブースター７２のホーン７１の側に位置する端部には、位置決め部７２５が中心線７を中心とした円形に設けられる。
【００２４】
第２ブースター７３には、環状の支持部７３１が同心円状に設けられる。支持部７３１は、肉厚の根元部７３１１と肉薄な中間部７３１２と肉厚な先端部７３１３とを備える。根元部７３１１は、第２ブースター７３の横方向の中央部における最小振動振幅点の外周面から半径方向の外側に同心円状に突出した環状の壁になっている。中間部７３１２は、根元部７３１１の外端部から第２ブースター７３の外周面と平行に離れた筒状の壁になっている。先端部７３１３は、中間部７３１２の端部から半径方向の外側に同心円状に突出しかつ中間部７３１２の外周面と平行に離れた筒状の壁になっている。
【００２５】
第２ブースター７３には、工具嵌合部７３２が第１ブースター７２の外面から内部への窪みとして単数又は複数設けられる。第２ブースター７３の横方向の両端部には、ねじ孔部７３３及び７３４が横方向に延びる中心線７の上に位置する孔部の内面に雌ねじを備えた態様に設けられる。第２ブースター７３の左側のねじ孔部７３３にはスタッドボルト７５が装着された態様になっているが、スタッドボルト７５はホーン７１のねじ孔部７１４に装着された態様でもよい。第２ブースター７３のホーン７１の側に位置する端部には、位置決め部７３５が中心線７を中心とした円形に設けられる。
【００２６】
振動子８０は、図外の超音波発生器から供給された電力により所定周波数の縦波の音波振動又は超音波振動を発生して出力する、電気エネルギーを機械エネルギーに変換する圧電素子又は磁歪素子等からなる電気音響変換器又は電気振動変換器である。振動子８０の出力端８１には、工具嵌合部８２が出力端８１の外周面から内部への窪みとして設けられる。振動子８０の出力端８１の右端部には、ねじ孔部８３が横方向に延びる中心線７の上に位置する孔部の内面に雌ねじを備えた態様に設けられる。
【００２７】
ホーン７１の工具嵌合部７１２、第１及び第２ブースター７２及び７３の工具嵌合部７２２及び４８、出力端８１の工具嵌合部８２のそれぞれは、ホーン７１と第１ブースター７２と第２ブースター７３とがスタッドボルト７４及び７５で横方向に一本の棒のように連結される場合、又は、第１ブースター７２と振動子８０の出力端８１とがスタッドボルト８４で連結される場合において、図示のされていない締め付け工具を嵌合する部分である。
【００２８】
図３に示した共振器７０及び振動子８０を組み立てるには、ホーン７１の振動作用部７１１よりも左側の部分又は第１ブースター７２の支持部２５よりも右側の部分が止め具４の工具嵌合部４４を振動作用部７１１の側に向けられた止め具４の中抜き孔部４０に挿入され、止め具４がホーン７１の振動作用部７１１よりも左側の部分又は第１ブースター７２の支持部２５よりも右側の部分に当該部分を囲むように配置される。その状態において、ホーン７１と第１ブースター７２とがスタッドボルト７４で同心状に連結される。その際、ホーン７１の位置決め部７１５と第１ブースター７２の位置決め部７２５とが互いに嵌め込まれ、位置決め部７１５の周面と端面とからなる外面が位置決め部７２５の周面と端面とからなる外面に接触することにより、スタッドボルト７４の雄ねじとねじ孔部７１３及び７２４とによる直径方向のがたつきを吸収し、ホーン７１と第１ブースター７２とが中心線７を中心とする同心状に連結される。そして、ホーン７１の工具嵌合部７１２に嵌合された図示のされていない締め付け工具と第１ブースター７２の工具嵌合部７２２に嵌合された図示のされていない締め付け工具とにより、ホーン７１と第１ブースター７２とが所定の締め付けトルクで締め付けられる。その後、上記図示のされていない締め付け工具が工具嵌合部７１２及び５２から取り外される。
【００２９】
又、図３に示したホーン７１の振動作用部７１１よりも右側の部分又は第２ブースター７３の支持部７３１よりも左側の部分が止め具５の中抜き孔部５０に挿入され、止め具５の工具嵌合部５４を振動作用部７１１の側に向けられた止め具５がホーン７１の振動作用部７１１よりも右側の部分又は第２ブースター７３の支持部７３１よりも左側の部分に当該部分を囲むように配置される。その状態において、ホーン７１と第２ブースター７３とがスタッドボルト７５で同心状に連結される。その際、ホーン７１の位置決め部７１６と第２ブースター７３の位置決め部７３５とが互いに嵌め込まれ、位置決め部７１６の周面と端面とからなる外面が位置決め部７３５の周面と端面とからなる外面に接触することにより、スタッドボルト７５の雄ねじとねじ孔部７１４及び７３３とによる直径方向のがたつきを吸収し、ホーン７１と第２ブースター７３とが中心線７を中心とする同心状に連結される。そして、ホーン７１の工具嵌合部７１２に嵌合された図示のされていない締め付け工具と第２ブースター７３の工具嵌合部７３２に嵌合された図示のされていない締め付け工具とにより、ホーン７１と第２ブースター７３とが所定の締め付けトルクで締め付けられる。その後、上記図示のされていない締め付け工具が工具嵌合部７１２及び５７から取り外される。これによって、図４に示したように、ホーン７１と第１ブースター７２と第２ブースター７３とが横方向に一本の棒のように連結されて共振器７０を構成し、共振器７０と振動子８０とが横方向に一本の棒のように連結され、止め具４が振動作用部７１１と支持部７２１との間に配置され、止め具５が振動作用部７１１と支持部７３１との間に配置された態様になる。
【００３０】
又、図３に示した第１ブースター７２と振動子８０の出力端８１とがスタッドボルト８４で結合される際、第１ブースター７２の工具嵌合部７２２に嵌合された図示のされていない締め付け工具と出力端８１の工具嵌合部８２に嵌合された図示のされていない締め付け工具とにより、振動子８０と第１ブースター７２とがスタッドボルト８４を介して所定の締め付けトルクで締め付けられる。その後、図示のされていない締め付け工具が工具嵌合部７２２及び６４から取り外される。これによって、図４に示したように、共振器７０と振動子８０とが横方向に一本の棒のように連結された態様になる。
【００３１】
尚、図３では、位置決め部７２５を第１ブースター７２の端面から内部に窪む凹部とし、位置決め部７１５をホーン７１の端面から外側に突出する凸部としたが、位置決め部７２５を第１ブースター７２の端面から外側に突出する突部とし、位置決め部７１５をホーン７１の端面から内部に窪む凹部としてもよい。又、位置決め部７３５を第２ブースター７３の端面から内部に窪む凹部とし、位置決め部７１６をホーン７１の端面から外側に突出する凸部としたが、位置決め部７３５を第２ブースター７３の端面から外側に突出する突部とし、位置決め部７１６をホーン７１の端面から内部に窪む凹部としてもよい。又、第１ブースター７２の振動子８０の側に位置する端部と振動子８０の出力端との双方に位置決め部を設け、第１ブースター７２と振動子８０の出力端８１とがスタッドボルト８４で結合される際、前記双方に位置決め部が互いに嵌め込まれ、前記双方に位置決め部の外面が互いに接触することにより、スタッドボルト８４の雄ねじとねじ孔部８３及び７２３とによる直径方向のがたつきを吸収し、第１ブースター７２と振動子８０とが中心線７を中心とする同心状に連結されるようにしてもよい。
【００３２】
図５に示したように、止め具４を有し、第１ブースター７２と振動子８０とが所定の締め付けトルクで互いに連結された状態において、振動子８０と第１ブースター７２の支持部７２１と第１ブースター７２の支持部７２１よりも左側の部分とがアーム２に装着された回転筒２０の収容部２１に作業空間部６の側から収容される。そして、止め具４の雄ねじ部４３が回転筒２０の雌ねじ部２２にねじ嵌合される場合には、アーム２の外側から図示のされていない回転阻止工具が同心状に繋がった工具挿入孔部２４及び２５の双方にわたり挿入されてアーム２に対する回転筒２０の回転を阻止する。その状態において、作業空間部６の側から止め具４の工具嵌合部４４に嵌合された図示のされていない締め付け工具により、第１ブースター７２における支持部７２１の先端部７２１３が回転筒２０の受け止め部２３と止め具４の周壁部４２とで横方向の両側から挟むように所定の締め付けトルクで締め付けられた後、図示のされていない締め付け工具が工具嵌合部４４から取り外される。
【００３３】
又、図６に示したように、止め具５を有し、第１ブースター７２と第２ブースター７３とが互いに所定の締め付けトルクで互いに連結された状態において、第２ブースター７３の支持部７３１よりも右側の部分と第２ブースター７３の支持部７３１とがアーム３に装着された回転筒９の収容部３１に作業空間部６の側から収容される。そして、止め具５の雄ねじ部５３が回転筒３０の雌ねじ部３２にねじ嵌合される場合には、アーム３の外側から図示のされていない回転阻止工具が同心状に繋がった工具挿入孔部３４及び３５の双方にわたり挿入されてアーム３に対する回転筒３０の回転を阻止する。その状態において、作業空間部６の側から止め具５の工具嵌合部５４に嵌合された図示のされていない締め付け工具により、第２ブースター７３における支持部７３１の先端部７２１３が回転筒３０の受け止め部３３と止め具５の周壁部５２とで横方向の両側から挟むように所定の締め付けトルクで締め付けられる。その後、図示のされていない締め付け工具が工具嵌合部５４から取り外される。
【００３４】
図５及び６に示したように、振動子８０を備えた共振器７０が共振器支持装置１のアーム２及び３で両持ち支持される場合、第１ブースター７２の回転筒２０への固定と、第２ブースター７３の回転筒３０への固定とのどちらを先に行ってもよい。
【符号の説明】
【００３５】
１        共振器用支持装置
２        アーム
３        アーム
４        止め具
５        止め具
６        作業空間部
７        中心線
１１      止め具４と受け止め部２３とによる締め付けトルク
１２      止め具５と受け止め部３３とによる締め付けトルク
１３      ホーン７１と第１ブースター７２との締め付けトルク
１５      第１ブースター７２と振動子８０との締め付けトルク
２０      回転筒
２１      回転筒２０の収容部
２２      回転筒２０の雌ねじ部
２３      回転筒２０の受止部
２４      アーム２の工具挿入孔部
２５      回転筒２０の工具挿入孔部
３０      回転筒
３１      回転筒３０の収容部
３２      回転筒３０の雌ねじ部
３３      回転筒３０の受止部
３４      アーム３の工具挿入孔部
３５      回転筒３０の工具挿入孔部
４０      止め具４の中抜き孔部
４１      止め具４の環状壁部
４２      止め具４の周壁部
４３      止め具４の雄ねじ部
４４      止め具４の工具嵌合部
５０      止め具５の中抜き孔部
５１      止め具５の環状壁部
５２      止め具５の周壁部
５３      止め具５の雄ねじ部
５４      止め具５の工具嵌合部
７０      共振器
７１      ホーン
７２      第１ブースター
７３      第２ブースター
７４      スタッドボルト
７５      スタッドボルト
８０      振動子
８１      出力端
８２      工具嵌合部
８３      ねじ孔部
８４      タッドボルト
７１１    ホーン７１の振動作用部
７１２    ホーン７１の工具嵌合部
７１３    ホーン７１のねじ孔部
７１４    ホーン７１のねじ孔部
７１５    ホーン７１の位置決め部
７１６    ホーン７１の位置決め部
７２１    第１ブースター７２の支持部
７２２    第１ブースター７２の工具嵌合部
７２３    第１ブースター７２のねじ孔部
７２４    第１ブースター７２のねじ孔部
７２５    第１ブースター７２の位置決め部
７３１    第２ブースター７３の支持部
７３２    第２ブースター７３の工具嵌合部
７３３    第２ブースター７３のねじ孔部
７３４    第２ブースター７３のねじ孔部
７３５    第２ブースター７３の位置決め部
７２１１  支持部７２１の根元部
７２１２  支持部７２１の中間部
７２１３  支持部７２１の先端部
７３１１  支持部７３１の根元部
７３１２  支持部７３１の中間部
７３１３  支持部７３１の先端部
【図１】
2020065947.tif 000003
【図２】
2020065947.tif 000004
【図３】
2020065947.tif 000005
【図４】
2020065947.tif 000006
【図５】
2020065947.tif 000007
【図６】
2020065947.tif 000008